(57)【特許請求の範囲】
【請求項１】
熱交換器の上流側に配設されているエアフィルタと、該エアフィルタをフィルタガイドに沿って移動させ、該エアフィルタにより捕集された塵埃を除去するフィルタ清掃機構とを備えている空気調和機において、
前記フィルタガイドは、前記エアフィルタをフィルタ駆動ローラの外周面に沿って折返し移動させるとともに、前記フィルタ駆動ローラと対向配置されている清掃ブラシを前記エアフィルタに接触させる開口部を有する湾曲ガイドを備え、
該湾曲ガイドの前記開口部には、前記エアフィルタを前記フィルタ駆動ローラの外周面に沿って移動させたときに前記エアフィルタの塵埃捕集面に前記清掃ブラシと接触しない非接触部がないように、前記エアフィルタの移動方向に対して傾斜したガイド格子が配設され、
前記ガイド格子は、前記エアフィルタが前記湾曲ガイドに沿って折返し移動するときに、支持位置を移動させつつ、前記開口部の長手方向全体で前記エアフィルタを支えることを特徴とする空気調和機。
【請求項２】
前記ガイド格子は、前記開口部に対して一方向に傾斜されて複数本平行に設けられていることを特徴とする請求項１に記載の空気調和機。
【請求項３】
前記ガイド格子は、前記開口部に対してジグザグ状に複数本設けられていることを特徴とする請求項１に記載の空気調和機。
【請求項４】
前記ガイド格子は、前記開口部に対してＸ状に交差されて複数本設けられていることを特徴とする請求項１に記載の空気調和機。
【発明の詳細な説明】
【技術分野】
【０００１】
本発明は、エアフィルタを自動的に清掃するフィルタ清掃機構を備えている空気調和機に関するものである。
【背景技術】
【０００２】
エアフィルタで捕集された塵埃が蓄積されると、通風抵抗が増大し、空気調和機の運転効率が低下する。そこで、エアフィルタにより捕集された塵埃を定期的に除去し、エアフィルタを自動清掃するフィルタ清掃機構を備えた空気調和機が提供されている。また、フィルタ清掃機構として、様々な方式が提案されている。その１つに、熱交換器の上流側に配設されているエアフィルタをフィルタガイドに沿って移動させ、その移動経路に沿って設置されている回転ブラシ等を介してエアフィルタ上の塵埃を掻き取り、それをダストボックス内に回収するように構成したものがある（例えば、特許文献１，２参照）。
【０００３】
この空気調和機では、筐体内にその前面から上面、後面にかけて曲げ形成された熱交換器を配設し、該熱交換器の上流側に、筐体の前面および上面側に形成されている吸込み口を覆うようにエアフィルタを配設している。そして、このエアフィルタを、ガイド経路に沿って熱交換器上流側の通常付設位置から、筐体前面に対向配置されている熱交換器の下部付近で上方にＵターンさせた後、通常付設位置と熱交換器との間を通して再び上方に移動させるようにし、この間に、Ｕターン位置付近に設置されている回転ブラシによりエアフィルタ上の塵埃を除去する構成としている。
【先行技術文献】
【特許文献】
【０００４】
【特許文献１】特許第４１７５４０９号公報
【特許文献２】特開２０１０−６５８９４号公報
【発明の概要】
【発明が解決しようとする課題】
【０００５】
しかしながら、上記特許文献１，２に示されたものでは、エアフィルタを折返しガイド部の湾曲部でＵターンさせるようにしているが、これらのガイド部は、ブレードやビーム等の細い部材を縦横に格子状に組み合わせした構成とされているため、エアフィルタが湾曲部に差し掛かったときに撓みが発生していると、エアフィルタがガイド格子に引っ掛かって、その移動が阻害される場合があり、エアフィルタを上手く清掃できなかったり、フィルタ清掃機構の故障に繋がったりする等の課題があった。
【０００６】
また、折返しガイド部が縦横格子の場合、回転ブラシとエアフィルタとの非接触部が固定されてしまうため、折返しガイド部の縦格子に対応して、エアフィルタ上に移動方向に沿って回転ブラシが当らない未清掃部分が残ってしまうおそれがあった。
【０００７】
本発明は、このような事情に鑑みてなされたものであって、エアフィルタを折返し部で円滑にＵターンさせ、フィルタ清掃機構の故障等を抑制することができるとともに、エアフィルタを未清掃部分が残らないように清掃することができる空気調和機を提供することを目的とする。
【課題を解決するための手段】
【０００８】
上記した課題を解決するために、本発明の空気調和機は、以下の手段を採用する。
すなわち、本発明にかかる空気調和機は、熱交換器の上流側に配設されているエアフィルタと、該エアフィルタをフィルタガイドに沿って移動させ、該エアフィルタにより捕集された塵埃を除去するフィルタ清掃機構とを備えている空気調和機において、前記フィルタガイドは、前記エアフィルタをフィルタ駆動ローラの外周面に沿って折返し移動させるとともに、前記フィルタ駆動ローラと対向配置されている清掃ブラシを前記エアフィルタに接触させる開口部を有する湾曲ガイドを備え、該湾曲ガイドの前記開口部には、前記エアフィルタを前記フィルタ駆動ローラの外周面に沿って移動させたときに前記エアフィルタの塵埃捕集面に前記清掃ブラシと接触しない非接触部がないように、前記エアフィルタの移動方向に対して傾斜したガイド格子が配設され、前記ガイド格子は、前記エアフィルタが前記湾曲ガイドに沿って折返し移動するときに、支持位置を移動させつつ、前記開口部の長手方向全体で前記エアフィルタを支えることを特徴とする。
【０００９】
本発明によれば、エアフィルタをフィルタガイドに沿って移動させ、エアフィルタにより捕集された塵埃を除去するフィルタ清掃機構を備えている空気調和機において、フィルタガイドは、エアフィルタをフィルタ駆動ローラの外周面に沿って折返し移動させるとともに、フィルタ駆動ローラと対向配置されている清掃ブラシをエアフィルタと接触させる開口部を有する湾曲ガイドを備え、該湾曲ガイドの開口部に、エアフィルタの移動方向に対して傾斜したガイド格子が配設されているため、フィルタ清掃時に、エアフィルタをフィルタガイドに沿って移動させる際、フィルタ駆動ローラの外周面に沿う折返し部において、エアフィルタを湾曲ガイドの開口部に配設されている斜めのガイド格子により支持位置を移動させつつ長手方向全体で支え、撓みを抑制して開口部の縁等への引掛かりを回避しながら、エアフィルタを円滑にＵターンさせて移動させることができる。従って、単一の湾曲ガイドでエアフィルタをスムーズに移動させることができ、折返し部のフィルタガイド構成を簡素化してコストダウンを図ることができるとともに、フィルタ清掃機構の故障等を抑制して、製品の信頼性を向上することができる。また、ガイド格子が傾斜されており、エアフィルタとの接触位置が移動されるため、エアフィルタと清掃ブラシとの非接触部をなくし、未清掃部分の発生をなくすることができる。
【００１０】
さらに、本発明の空気調和機は、上記の空気調和機において、前記ガイド格子は、前記開口部に対して一方向に傾斜されて複数本平行に設けられていることを特徴とする。
【００１１】
本発明によれば、ガイド格子が、開口部に対して一方向に傾斜されて複数本平行に設けられているため、互いに平行に設けられている複数本の傾斜ガイド格子によって、フィルタ駆動ローラの外周面に沿ってＵターンされるエアフィルタを長手方向全体で受け、撓みを抑制して開口部の縁等への引掛かりをなくしながら、スムーズにＵターンさせることができる。従って、開口部に平行な複数本の傾斜ガイド格子が配設された単一の湾曲ガイドをＵターン部に設けただけの簡素な構成により、フィルタ清掃機構の故障を抑制し、製品の信頼性を向上することができるとともに、エアフィルタと清掃ブラシとが接触しない非接触部をなくし、未清掃部分の発生をなくすることができる。
【００１２】
さらに、本発明の空気調和機は、上記の空気調和機において、前記ガイド格子は、前記開口部に対してジグザグ状に複数本設けられていることを特徴とする。
【００１３】
本発明によれば、ガイド格子が、開口部に対してジグザグ状に複数本設けられているため、ジグザグ状に設けられている複数本の傾斜ガイド格子によって、フィルタ駆動ローラの外周面に沿ってＵターンされるエアフィルタを長手方向全体で受け、撓みを抑制して開口部の縁等への引掛かりをなくしながら、スムーズにＵターンさせることができる。従って、開口部にジグザグ状に複数本の傾斜ガイド格子が配設された単一の湾曲ガイドをＵターン部に設けただけの簡素な構成により、フィルタ清掃機構の故障を抑制し、製品の信頼性を向上することができるとともに、エアフィルタと清掃ブラシとが接触しない非接触部をなくし、未清掃部分の発生をなくすることができる。
【００１４】
さらに、本発明の空気調和機は、上記の空気調和機において、前記ガイド格子は、前記開口部に対してＸ状に交差されて複数本設けられていることを特徴とする。
【００１５】
本発明によれば、ガイド格子が、開口部に対してＸ状に交差されて複数本設けられているため、Ｘ状に交差されて設けられている複数本の傾斜ガイド格子によって、フィルタ駆動ローラの外周面に沿ってＵターンされるエアフィルタを長手方向全体で受け、撓みを抑制して開口部の縁等への引掛かりをなくしながら、スムーズにＵターンさせることができる。従って、開口部にＸ状に交差されて複数本の傾斜ガイド格子が配設された単一の湾曲ガイドをＵターン部に設けただけの簡素な構成によって、フィルタ清掃機構の故障を抑制し、製品の信頼性を向上することができるとともに、エアフィルタと清掃ブラシとが接触しない非接触部をなくし、未清掃部分の発生をなくすることができる。
【発明の効果】
【００１６】
本発明によると、フィルタ清掃時に、エアフィルタをフィルタガイドに沿って移動させる際、フィルタ駆動ローラの外周面に沿う折返し部において、エアフィルタを湾曲ガイドの開口部に配設されている斜めのガイド格子により支持位置を移動させつつ長手方向全体で支え、撓みを抑制して開口部の縁等への引掛かりを回避しながら、エアフィルタを円滑にＵターンさせて移動させることができるため、単一の湾曲ガイドでエアフィルタをスムーズに移動させることができ、折返し部のフィルタガイド構成を簡素化してコストダウンを図ることができるとともに、フィルタ清掃機構の故障等を抑制して、製品の信頼性を向上することができる。また、ガイド格子が傾斜されており、エアフィルタとの接触位置が移動されるため、エアフィルタと清掃ブラシとの非接触部をなくし、未清掃部分の発生をなくすることができる。
【図面の簡単な説明】
【００１７】
【図１】本発明の第１実施形態に係る空気調和機の外観斜視図である。
【図２】図１に示す空気調和機のフロントパネルを取外した状態の斜視図である。
【図３】図２に示す空気調和機の縦断面図である。
【図４】図２に示す空気調和機の左半部の分解斜視図である。
【図５】図４に示される湾曲ガイドの斜視図である。
【発明を実施するための形態】
【００１８】
［第１実施形態］
以下に、本発明の第１実施形態について、図１ないし図５を参照して説明する。
図１には、本発明の第１実施形態に係る空気調和機の外観斜視図が示され、図２には、そのフロントパネルを取外した状態の斜視図が示され、更に図３には、その縦断面図が示されている。ここでは、壁掛け型の空気調和機１が例示されている。
空気調和機１は、ベース本体２と、該ベース本体２にその前方部位を上下、左右、および前面から被うように取り付けられたフロントカバー３と、該フロントカバー３の前面に取り付けられたフロントパネル４とから構成された横長長方形状の筐体５を備えている。
【００１９】
筐体５を構成しているフロントカバー３の前面および上面は、その略全面が格子状の桟６，７とされ、該桟６，７により空気吸込み口８が形成されるとともに、該桟６，７がフィルタガイドを兼ねるように構成されている。フロントカバー３の上面には、吸込みグリル９が設置されており、下面の前方部位には、略全幅にわたり温調された空気を室内に吹出す吹出し口１０が開口されている。空気吹出し口１０には、風向を左右方向に変更する複数枚のルーバ１１と、風向を上下方向に変更するとともに、空気吹出し口１０を閉鎖可能な左右に２分割されている上下各２枚の水平フラップ１２が設けられている。このルーバ１１および水平フラップ１２は、図示省略のモータによって、それぞれ独立して回動されるように構成されている。
【００２０】
筐体５内には、前面および上面の空気吸込み口８から下面前方部位の空気吹出し口１０に至る間に空気流路１３が形成されており、該空気流路１３中に上流側からエアフィルタ１４、室内熱交換器（熱交換器）１５および室内ファン１６が順次配設されている。吸込みグリル９を介して吸込まれた室内空気は、エアフィルタ１４を通過して塵埃が除去された後、室内熱交換器１５により冷却または加熱され、室内ファン１６を介して空気吹出し口８から室内に吹出されるようになっている。エアフィルタ１４は、左右に２分割されて設置されており、該エアフィルタ１４の背面側の前面上方部位には、それぞれ横長の空清フィルタ１７が配設されている。
【００２１】
室内熱交換器１５は、概略Λ形状に折り曲げ形成されたプレートフィンチューブ型熱交換器とされ、筐体５内において、前面の下部位置から上面および後面にかけて配設されている。該室内熱交換器１５の下流側において、その内側空間内に室内ファン１６を構成する細長い筒状のクロスフローファンが配設されている。エアフィルタ１４は、室内熱交換器１２の上流側において、筐体５を構成しているフロントカバー３の前面および上面の略全面に設けられている格子状の桟６，７の前面側領域を覆うように、多数のフィルタガイドによって形成される第１フィルタガイド経路１８に沿って付設されている。
【００２２】
第１フィルタガイド経路１８は、フロントカバー３の桟６，７の表面、吸込みグリル９の下面、フロントカバー３の前面側に設置されているフィルタガイド１９、空清フィルタ１７のフィルタ枠２０の外表面、該フィルタ枠２０に対向してフロントカバー３の前面上方部位に設置されているフィルタガイド２１、フロントパネル４の背面にフィルタガイド１９と対向配置されているフィルタガイド部材（図示省略）等々の多数のフィルタガイドによって形成されている。
【００２３】
この第１フィルタガイド経路１８は、筐体５の上面側に沿って形成されているガイド経路１８Ａと、筐体５の前面側に沿って形成されているガイド経路１８Ｂとから構成されている。また、第１フィルタガイド経路１８を介して室内熱交換器１５の上流側に沿って付設されているエアフィルタ１４は、その上流側面に捕集された塵埃を除去するため、フィルタ清掃機構２３により第１フィルタガイド経路１８内を往復動可能とされている。
【００２４】
フィルタ清掃機構２３は、エアフィルタ１４上に捕集されている塵埃を除去してエアフィルタ１４を自動清掃するものであり、フロントカバー３の前面側の下方部位に設置されている。本実施形態のフィルタ清掃機構２３は、エアフィルタ１４を往復動させるための左右一対の円筒状をなすフィルタ駆動ローラ２４と、該フィルタ駆動ローラ２４の下方に対向配置され、該フィルタ駆動ローラ２４により移動されるエアフィルタ１４の塵埃捕集面から塵埃を掻き取る左右一対の回転ブラシ（清掃ブラシ）２５と、該回転ブラシ２５で掻き取った塵埃を回収して溜め込む左右一対の着脱可能なダストボックス２６とを備えた構成とされている。
【００２５】
フィルタ駆動ローラ２４の左右両端部には、歯車２４Ａが設けられており、この歯車２４Ａにエアフィルタ１４のフィルタ枠の左右両側に設けられているラック１４Ａが噛合わされている。これにより、フィルタ駆動ローラ２４を介してエアフィルタ１４が第１フィルタガイド経路１８内を往復動可能とされている。なお、フィルタ駆動ローラ２４は、図示省略のモータを介して正逆回転されるようになっている。
【００２６】
また、フィルタ清掃時に、エアフィルタ１４がフィルタ清掃機構２３のフィルタ駆動ローラ２４を介して移動されたとき、その移動経路を確保するための第２フィルタガイド経路２７および第３フィルタガイド経路２９が筐体５内に形成されている。第２フィルタガイド経路２７は、エアフィルタ１４をフィルタ駆動ローラ２４に沿う湾曲部を介して上方に折返すための湾曲経路（Ｕターン経路）とされており、フィルタ駆動ローラ２４の外周面と該フィルタ駆動ローラ２４に沿って設けられている湾曲ガイド２８とによって形成されている。この第２フィルタガイド経路２７は、第１フィルタガイド経路１８の一端に連続されている。
【００２７】
第３フィルタガイド経路２９は、エアフィルタ１４を室内熱交換器１５の上方部位から外れた位置に導くための経路であり、第２フィルタガイド経路２７のＵターンされた側の端部に連続されている。この第３フィルタガイド経路２９は、室内熱交換器１５の前面側において、フロントパネル４の背面に沿って上下方向に延在されている第１フィルタガイド経路１８のガイド経路１８Ｂと、室内熱交換器１５の前面側との間を通して、該ガイド経路１８Ｂと略平行に上方に延在されている。
【００２８】
また、第３フィルタガイド経路２９は、フロントカバー３の前面側の桟６の表面とフィルタガイド１９の後面１９Ａとの間に形成される上方に延在する経路２９Ａと、筐体５内の前面上方部位で第１フィルタガイド経路１８と交差してフロントパネル４の背面に延在する、フィルタガイド２１とフロントパネル４背面のフィルタガイド部材（図示省略）とによって形成される経路２９Ｂと、フロントパネル４の背面に沿って下向きに折り返されて下方に延在し、フィルタガイド２１の下端付近で第１フィルタガイド経路１８に合流される、フィルタガイド２１とフロントパネル４背面のフィルタガイド部材（図示省略）とによって形成される経路２９Ｃとから構成されている。
【００２９】
なお、第３フィルタガイド経路２９と第１フィルタガイド経路１８とがクロスする位置は、エアフィルタ１４が第３フィルタガイド経路２９に沿って移動される過程で、その一端が交差位置に差し掛かったとき、第１フィルタガイド経路１８を移動しているエアフィルタ１４の他端が交差位置を通過しているように、第２フィルタガイド経路２７のＵターン位置から最遠の上方位置に設定されている。
【００３０】
また、本実施形態においては、フィルタ清掃機構２３を構成しているフィルタ駆動ローラ２４、回転ブラシ２５およびダストボックス２６、並びに第２フィルタガイド経路２７を形成している湾曲ガイド２８等は、複数箇所に設けられているロック機構３０を介してフロントカバー３側に着脱可能に組み付けられている。そして、このロック機構３０を解徐することによって、フィルタ駆動ローラ２４、回転ブラシ２５、ダストボックス２６および湾曲ガイド２８が、図４に示されるように、分解可能とされている。
【００３１】
さらに、湾曲ガイド２８は、図５に示されるように、フィルタ清掃時に、エアフィルタ１４をフィルタ駆動ローラ２４の外周に沿って移動させ、それをＵターンさせて第３フィルタガイド経路２９に導くとともに、フィルタ駆動ローラ２４と対向配置されている回転ブラシ（清掃ブラシ）２５とエアフィルタ１４とを接触させるために底面が開口部２８Ａとされた半円形断面形状のエアフィルタ１４と同等幅もしくはフィルタ駆動ローラ２４と同等長さを有する構成とされている。また、湾曲ガイド２８の開口部２８Ａには、エアフィルタ１４の移動方向に対して一方向に傾斜されているガイド格子２８Ｂが複数本平行に配設されている。
【００３２】
以上に説明の構成により、本実施形態によれば、以下の作用効果を奏する。
空気調和機１が運転されると、室内ファン１６の回転により、室内空気が吸込みグリル９および空気吸込み口８を介して筐体５内に吸込まれる。該空気は、エアフィルタ１４および空清フィルタ１７を通過する過程で塵埃、臭気等が除去され、清浄化されて室内熱交換器１５に供給される。そして、この空気が室内熱交換器１５で内部を流通する冷媒と熱交換されて冷却または加熱された後、空気流路１３、空気吹出し口１０を経て室内に吹出されることによって、室内の冷房または暖房に供される。
【００３３】
空気調和機１の運転時間が長くなると、エアフィルタ１４に捕集された塵埃が少しずつ蓄積され、通風抵抗が徐々に増加される。そのまま運転を続けると、圧損が増大し、空気調和機１の運転効率が低下されるため、例えば累積運転時間が設定時間に到達時の運転終了時毎に、フィルタ清掃機構２３を稼働させ、エアフィルタ１４上に蓄積されている塵埃を除去するフィルタ清掃運転を行うようにしている。このフィルタ清掃運転は、フィルタ清掃機構２３のフィルタ駆動ローラ２４および回転ブラシ２５を回転駆動し、第１フィルタガイド経路１８に沿って付設されているエアフィルタ１４を、第２フィルタガイド経路２７を経て第３フィルタガイド経路２９へと移動させることによって行われる。
【００３４】
すなわち、フィルタ駆動ローラ２４の回転により、歯車２４Ａにラック１４Ａを介して噛み合っているエアフィルタ１４が移動され、第１フィルタガイド経路１８から第２フィルタガイド経路２７および第３フィルタガイド経路２９へと往動される。この間、フィルタ駆動ローラ２４と対向配置されている回転ブラシ２５がエアフィルタ１４の塵埃捕集面に接触し、エアフィルタ１４上に蓄積されている塵埃を掻き取り、該塵埃をダストボックス２６内に回収することにより、エアフィルタ１４の塵埃捕集面が自動的に清掃される。
【００３５】
このように、エアフィルタ１４が第１フィルタガイド経路１８から第２フィルタガイド経路２７および第３フィルタガイド経路２９へと移動されることによって、その全面の清掃が完了すると、エアフィルタ１４の往動が停止される。こうして、エアフィルタ１４の自動清掃が完了すると、フィルタ駆動ローラ２４が逆回転され、エアフィルタ１４は、上記の経路を逆方向に移動され、再び図３に示す第１フィルタガイド経路１８にセットされた通常付設位置へと戻される。
【００３６】
然して、上記のフィルタ清掃時、エアフィルタ１４がフィルタガイドに沿って第２フィルタガイド経路２７および第３フィルタガイド経路２９へと移動される際、フィルタ駆動ローラ２４の外周面に沿う折返し部において、エアフィルタ１４は、第２フィルタガイド経路２７の湾曲ガイド２８に沿ってＵターンされる。ここで、エアフィルタ１４は、湾曲ガイド２８の開口部２８Ａに配設されている斜めのガイド格子２８Ｂにより支持位置を移動させつつ長手方向全体で支えられ、撓みが抑制されることによって開口部２８Ａの縁等に引っ掛かることなく、スムーズにＵターンされる。
【００３７】
このため、単一の湾曲ガイド２８によりエアフィルタ１４を滑らかに移動させることができ、従って、折返し部のフィルタガイド構成を簡素化してコストダウンを図ることができるとともに、フィルタ清掃機構２３の故障等を抑制して、製品の信頼性を向上することができる。また、ガイド格子２８Ｂが傾斜されており、エアフィルタ１４との接触位置がエアフィルタ１４の移動に伴って移動されるため、エアフィルタ１４と回転ブラシ（清掃ブラシ）２５との非接触部をなくし、未清掃部分の発生をなくすることができる。
【００３８】
また、ガイド格子２８Ｂが、開口部２８Ａに対して一方向に傾斜されて複数本平行に設けられているため、これら複数本の傾斜ガイド格子２８Ｂによって、フィルタ駆動ローラ２４の外周面に沿ってＵターンされるエアフィルタ１４を長手方向全体で受け、撓みを抑制して開口部２８Ａの縁等への引掛かりをなくしながら、スムーズにＵターンさせることができる。従って、開口部２８Ａに平行な複数本の傾斜ガイド格子２８Ｂが配設された単一の湾曲ガイド２８をＵターン部に設けただけの簡素な構成により、フィルタ清掃機構２３の故障等を抑制し、製品の信頼性を向上することができるとともに、エアフィルタ１４と回転ブラシ（清掃ブラシ）２５とが接触しない非接触部をなくし、未清掃部分の発生をなくすることができる。
【００３９】
［第２実施形態］
次に、本発明の第２実施形態について説明する。
本実施形態は、上記した第１実施形態に対して、湾曲ガイド２８に設けられるガイド格子２８Ｂの構成が異なっている。その他の点については、第１実施形態と同様であるので説明は省略する。
本実施形態では、湾曲ガイド２８の開口部２８Ａに、エアフィルタ１４の移動方向に対して斜めに設けられるガイド格子２８Ｂを、以下のように配設した構成としている。
（１）同様のガイド格子２８Ｂを、開口部２８Ａに対してジグザグ状に複数本設けた構成とする。
（２）同様のガイド格子２８Ｂを、開口部２８Ａに対してＸ状に交差させて複数本設けた構成とする。
【００４０】
上記のように、ガイド格子２８Ｂを開口部に対してジグザグ状に複数本設けた構成もしくはＸ状に交差させて複数本設けた構成とすることによっても、フィルタ駆動ローラ２４の外周面に沿ってＵターンされるエアフィルタ１４を長手方向全体で受け、撓みを抑制して開口部の縁等への引掛かりをなくしながら、円滑にＵターンさせることができる。従って、開口部２８Ａに傾斜ガイド格子２８Ｂが配設された単一の湾曲ガイド２８をＵターン部に設けただけの簡素な構成により、フィルタ清掃機構２３の故障等を抑制し、製品の信頼性を向上することができるとともに、エアフィルタ１４と回転ブラシ（清掃ブラシ）２５とが接触しない非接触部をなくし、未清掃部分の発生をなくすることができる等、第１実施形態と同等の効果を得ることができる。
【００４１】
なお、本発明は、上記実施形態にかかる発明に限定されるものではなく、その要旨を逸脱しない範囲において、適宜変形が可能である。例えば、上記実施形態では、フィルタ清掃機構２３を筐体５内の前面の下方部位に設置した例について説明したが、フィルタ清掃機構２３の設置位置は、この下方部位に限定されるものではない。また、フィルタ清掃機構２３は、必ずしも回転ブラシ式である必要はなく、固定式の掻き取りブラシを用いたものであってもよい。
【符号の説明】
【００４２】
１  空気調和機
１４  エアフィルタ
１５  室内熱交換器（熱交換器）
２３  フィルタ清掃機構
２４  フィルタ駆動ローラ
２５  回転ブラシ（清掃ブラシ）
２８  湾曲ガイド
２８Ａ  開口部
２８Ｂ  ガイド格子
【図１】
0005787497.tif 000002
【図２】
0005787497.tif 000003
【図３】
0005787497.tif 000004
【図４】
0005787497.tif 000005
【図５】
0005787497.tif 000006